(57)【要約】【課題】より多くの呼び出し法で、より多くの人物を識別できるドアホンシステムを提供すること。【解決手段】屋外ドアホン端末１００の呼び出しスイッチ１０１を訪問者が操作した時、カメラ１０３によって撮影された訪問者の人物画像に基づいて人物認証を行い、人物認証結果情報を出力する人物認証部２０１と、この人物認証結果情報を外部に送信する外部インターフェース部２０３とを有する屋内ドアホン端末２００を備え、屋内ドアホン端末２００から送信された人物認証結果情報を受信する認証情報受信部３０１と、複数の報知処理および複数の人物を対応させて予め登録するメモリ３０５と、受信した人物認証結果情報に基づいて、訪問者を特定し、特定された訪問者に対応する報知処理をメモリ３０５に登録された複数の報知処理から選択し、選択された報知処理を実行する制御部３０７とを有する外部接続端末装置３００をさらに備える。【選択図】　図１
2004120309.tif 000002
【特許請求の範囲】
【請求項１】
呼び出しスイッチと、
前記呼び出しスイッチを訪問者が操作した時、前記訪問者を撮影する撮影手段と、
前記撮影手段によって撮影された前記訪問者の画像に基づいて人物認証を行い、人物認証結果情報を出力する人物認証手段と、
前記人物認証手段から出力された前記人物認証結果情報を外部に送信する送信手段とを有する第１のドアホン端末装置を備えるとともに、
前記第１のドアホン端末装置から送信された人物認証結果情報を受信する受信手段と、
前記訪問者の訪問を報知する複数の報知処理を実行可能な報知手段と、
前記複数の報知処理および複数の人物を対応させて予め登録する登録手段と、
前記受信手段によって受信された前記人物認証結果情報に基づいて、前記訪問者を特定し、前記特定された訪問者に対応する報知処理を前記登録手段に登録された複数の報知処理から選択する選択手段とを有する第２のドアホン端末装置をさらに備え、
前記第２のドアホン端末装置において、前記報知手段は、前記選択手段によって選択された報知処理を実行することを特徴とするドアホンシステム。
【請求項２】
前記第２のドアホン端末装置は、前記報知処理を更新する報知処理更新手段をさらに備えたことを特徴とする請求項１に記載のドアホンシステム。
【請求項３】
前記第２のドアホン端末装置は、複数の呼び出し音を出力する音声出力手段をさらに有し、
前記第２のドアホン端末装置において、
前記登録手段は、前記複数の呼び出し音および前記複数の人物を対応させて予め登録し、
前記選択手段は、前記特定された訪問者に対応する呼び出し音を前記登録手段に登録された複数の呼び出し音から選択し、
前記報知手段は、前記選択された呼び出し音を前記音声出力手段に出力させることを特徴とする請求項１または請求項２に記載のドアホンシステム。
【請求項４】
前記第２のドアホン端末装置は、複数の転送先に呼び出しを切り替えて転送する呼び出し転送手段をさらに有し、
前記第２のドアホン端末装置において、
前記登録手段は、前記複数の転送先および前記複数の人物を対応させて予め登録し、
前記選択手段は、前記特定された訪問者に対応する転送先を前記登録手段に登録された複数の転送先から選択し、
前記報知手段は、前記呼び出し転送手段に、前記選択された転送先に呼び出しを切り替えて、前記特定された訪問者の情報を含む呼び出し情報を転送させることを特徴とする請求項１乃至請求項３の何れかに記載のドアホンシステム。
【請求項５】
前記第１のドアホン端末装置において、
前記送信手段は、前記撮影手段によって撮影された訪問者の画像を外部に送信し、
前記第２のドアホン端末装置において、
前記受信手段は、前記第１のドアホン端末装置から送信された画像を受信し、
前記報知手段は、前記呼び出し転送手段に、前記選択された転送先に前記受信した画像を転送させることを特徴とする請求項４に記載のドアホンシステム。
【請求項６】
前記第２のドアホン端末装置は、コードレス電話装置であることを特徴とする請求項１乃至請求項５の何れかに記載のドアホンシステム。
【請求項７】
前記第２のドアホン端末装置は、親機および複数の子機を含むコードレス電話装置であり、
前記第２のドアホン端末装置において、
前記登録手段は、前記複数の子機および前記複数の人物を対応させて予め登録し、
前記選択手段は、前記特定された訪問者に対応する子機を前記登録手段に登録された複数の子機から選択し、
前記報知手段は、前記親機に、前記選択された子機を呼び出させることを特徴とする請求項１乃至請求項５の何れかに記載のドアホンシステム。
【請求項８】
呼び出しスイッチと、
前記呼び出しスイッチを訪問者が操作した時、前記訪問者を撮影する撮影手段と、
前記撮影手段によって撮影された前記訪問者の画像に基づいて人物認証を行い、人物認証結果情報を出力する人物認証手段と、
前記人物認証手段から出力された前記人物認証結果情報を外部に送信する送信手段とを備えたことを特徴とするドアホン端末装置。
【請求項９】
前記送信手段は、前記撮影手段によって撮影された訪問者の画像を外部に送信することを特徴とする請求項８に記載のドアホン端末装置。
【請求項１０】
訪問者の人物認証結果情報を受信する受信手段と、
前記訪問者の訪問を報知する複数の報知処理を実行可能な報知手段と、
前記複数の報知処理および複数の人物を対応させて予め登録する登録手段と、
前記受信手段によって受信された前記人物認証結果情報に基づいて、前記訪問者を特定し、前記特定された訪問者に対応する報知処理を前記登録手段に登録された複数の報知処理から選択する選択手段とを備え、
前記報知手段は、前記選択手段によって選択された報知処理を実行することを特徴とするドアホン端末装置。
【請求項１１】
前記報知処理を更新する報知処理更新手段をさらに備えたことを特徴とする請求項１０に記載のドアホン端末装置。
【請求項１２】
複数の呼び出し音を出力する音声出力手段をさらに備えるとともに、
前記登録手段は、前記複数の呼び出し音および前記複数の人物を対応させて予め登録し、
前記選択手段は、前記特定された訪問者に対応する呼び出し音を前記登録手段に登録された複数の呼び出し音から選択し、
前記報知手段は、前記音声出力手段に前記選択された呼び出し音を出力させることを特徴とする請求項１０または請求項１１に記載のドアホン端末装置。
【請求項１３】
複数の転送先に呼び出しを切り替えて転送する呼び出し転送手段をさらに備えるとともに、
前記登録手段は、前記複数の転送先および前記複数の人物を対応させて予め登録し、
前記選択手段は、前記特定された訪問者に対応する転送先を前記登録手段に登録された複数の転送先から選択し、
前記報知手段は、前記呼び出し転送手段に、前記選択された転送先に呼び出しを切り替えて、前記特定された訪問者の情報を含む呼び出し情報を転送させることを特徴とする請求項１０乃至請求項１２の何れかに記載のドアホン端末装置。
【請求項１４】
前記受信手段は、画像を受信し、
前記報知手段は、前記呼び出し転送手段に、前記選択された転送先に前記受信した画像を転送させることを特徴とする請求項１３に記載のドアホン端末装置。
【請求項１５】
コードレス電話装置であることを特徴とする請求項１０乃至請求項１４の何れかに記載のドアホン端末装置。
【請求項１６】
親機および複数の子機を含むコードレス電話装置であり、
前記登録手段は、前記複数の子機および前記複数の人物を対応させて予め登録し、
前記選択手段は、前記特定された訪問者に対応する子機を前記登録手段に登録された複数の子機から選択し、
前記報知手段は、前記親機に、前記選択された子機を呼び出させることを特徴とする請求項１０乃至請求項１４の何れかに記載のドアホン端末装置。
【発明の詳細な説明】
【０００１】
【発明の属する技術分野】
本発明は、人物認証機能を有するドアホン端末装置およびこのドアホン端末装置から出力される人物認証結果情報に基づいて、訪問者により異なる報知処理を行うドアホンシステムに関するものである。
【０００２】
【従来の技術】
図６に示すように、従来、この種の人物認証ドアホンシステム１は、呼び出しスイッチ１３（図中、「呼出ＳＷ」と示される。）を有する屋外のドアホン端末１０、および訪問者によって呼び出しスイッチ１３が押下されたときに呼び出し音を発生する屋内の応答端末２０を含み、この応答端末２０が、呼び出しスイッチ１３を操作する可能性のある人物に関する画像データを蓄積した人物データベース３１と、呼び出しスイッチ１３を操作した人物の画像データを取り込み、該画像データと人物データベース３１に蓄積された画像データとを照合する画像認識部２３と、複数の異なる呼び出し音を呼び出し音データとして蓄積するとともに、画像認識部２３による前記照合の結果に応じた呼び出し音データを出力する呼び出し音データベース３３と、呼び出し音データを呼び出し音データベース３３から受け取って、呼び出し音を発生する呼び出し音信号発生部２７と、画像認識部２３による前記照合の結果に応じて、前記呼び出しスイッチ１３を操作した人物に対応した呼び出し音と一般の呼び出し音の何れを出力させるかを判定し、該判定の結果に応じた呼び出し音データを呼び出し音データベース３３から読み出させる制御部２５とを備え、前記照合の結果に応じて、呼び出しスイッチ１３を操作した人物に対応した呼び出し音を出力することを特徴としているシステムであった（例えば、特許文献１参照。）。
【０００３】
【特許文献１】
特許第３２５０７９７号公報
【０００４】
【発明が解決しようとする課題】
しかし、このような従来の人物認証ドアホンシステムでは、呼び出し音情報を保持するメモリの容量などにより、人物判定できる人数に制約が出てくるという問題点があった。また、使用者の要望に応えて、呼び出し方法などの仕様を変更するためには、ドアホン端末自体を設計し直す必要が生じてしまうため、ドアホンを外して再度設置するなどの手間が発生するという問題点があった。
【０００５】
本発明はこのような問題を解決するためになされたもので、ドアホン端末自体を設計し直すことなく、より多くの呼び出し法を容易に設定することができ、識別できる人物の人数を増やすことができるドアホンシステムを提供するものである。
【０００６】
【課題を解決するための手段】
本発明のドアホン端末装置は、呼び出しスイッチと、前記呼び出しスイッチを訪問者が操作した時、前記訪問者を撮影する撮影手段と、前記撮影手段によって撮影された前記訪問者の画像に基づいて人物認証を行い、人物認証結果情報を出力する人物認証手段と、前記人物認証手段から出力された前記人物認証結果情報を外部に送信する送信手段とを有する第１のドアホン端末装置を備えるとともに、前記第１のドアホン端末装置から送信された人物認証結果情報を受信する受信手段と、前記訪問者の訪問を報知する複数の報知処理を実行可能な報知手段と、前記複数の報知処理および複数の人物を対応させて予め登録する登録手段と、前記受信手段によって受信された前記人物認証結果情報に基づいて、前記訪問者を特定し、前記特定された訪問者に対応する報知処理を前記登録手段に登録された複数の報知処理から選択する選択手段とを有する第２のドアホン端末装置をさらに備え、前記第２のドアホン端末装置において、前記報知手段は、前記選択手段によって選択された報知処理を実行することを特徴とした構成を有している。
【０００７】
この構成により、第１のドアホン端末装置に接続された第２のドアホン端末装置である外部接続端末装置が、第１のドアホン端末装置から外部インターフェースなどの送受信手段を介して人物認証結果情報を受け取り、この人物認証結果情報に基づいて、予め登録された訪問者毎に異なる報知処理を行うことが可能となり、ドアホン端末自体を設計し直すことなく、より多くの呼び出し法を設定することができ、識別できる人物の人数を増やすことが可能となる。
【０００８】
さらに、上記本発明のドアホンシステムの前記第２のドアホン端末装置は、報知処理を更新する報知処理更新手段をさらに備えても良い。第２のドアホン端末装置には、アプリケーションプログラムが書換え可能な記憶装置に予めインストールされており、このアプリケーションプログラムが、ＣＰＵ（Ｃｅｎｔｒａｌ　Ｐｒｏｃｅｓｓｉｎｇ　Ｕｎｉｔ）などにより実行されて、訪問者毎の報知処理が行われる。アプリケーションプログラムは、外部記憶装置から読み込んで書換えて更新することが可能であり、例えば、インターネットなどを含むネットワークを介して別のアプリケーションプログラムをダウンロードして更新することができ、ドアホン端末自体を設計し直すことなく、より多くの呼び出し法を容易に設定することができ、識別できる人物の人数を増やすことが可能となる。
【０００９】
また、本発明のドアホンシステムは、呼び出しスイッチと、前記呼び出しスイッチを訪問者が操作した時、前記訪問者を撮影する撮影手段と、前記撮影手段によって撮影された前記訪問者の画像に基づいて人物認証を行い、人物認証結果情報を出力する人物認証手段と、前記人物認証手段から出力された前記人物認証結果情報を外部に送信する送信手段とを有する第１のドアホン端末装置を備えるとともに、前記第１のドアホン端末装置から送信された人物認証結果情報を受信する受信手段と、前記訪問者の訪問を報知する複数の報知処理を実行可能な報知手段と、前記複数の報知処理および複数の人物を対応させて予め登録する登録手段と、前記受信手段によって受信された前記人物認証結果情報に基づいて、前記訪問者を特定し、前記特定された訪問者に対応する報知処理を前記登録手段に登録された複数の報知処理から選択する選択手段と、複数の呼び出し音を出力する音声出力手段とを有する第２のドアホン端末装置をさらに備え、前記第２のドアホン端末装置において、前記登録手段は、前記複数の呼び出し音および前記複数の人物を対応させて予め登録し、前記選択手段は、前記特定された訪問者に対応する呼び出し音を前記登録手段に登録された複数の呼び出し音から選択し、前記報知手段は、前記選択された呼び出し音を前記音声出力手段に出力させることを特徴とした構成を有している。
【００１０】
この構成により、第１のドアホン端末装置から外部インターフェースなどの送受信手段を介して人物認証結果情報を受け取り、この人物認証結果情報に基づいて、予め登録された訪問者毎に異なる呼び出し音を出力することができ、ドアホン端末自体を設計し直すことなく、より多くの呼び出し法を容易に設定することができ、識別できる人物の人数を増やすことが可能となる。
【００１１】
さらに、本発明のドアホンシステムは、呼び出しスイッチと、前記呼び出しスイッチを訪問者が操作した時、前記訪問者を撮影する撮影手段と、前記撮影手段によって撮影された前記訪問者の画像に基づいて人物認証を行い、人物認証結果情報を出力する人物認証手段と、前記人物認証手段から出力された前記人物認証結果情報を外部に送信する送信手段とを有する第１のドアホン端末装置を備えるとともに、前記第１のドアホン端末装置から送信された人物認証結果情報を受信する受信手段と、前記訪問者の訪問を報知する複数の報知処理を実行可能な報知手段と、前記複数の報知処理および複数の人物を対応させて予め登録する登録手段と、前記受信手段によって受信された前記人物認証結果情報に基づいて、前記訪問者を特定し、前記特定された訪問者に対応する報知処理を前記登録手段に登録された複数の報知処理から選択する選択手段とを有する第２のドアホン端末装置をさらに備え、前記第２のドアホン端末装置において、前記登録手段は、前記複数の転送先および前記複数の人物を対応させて予め登録し、前記選択手段は、前記特定された訪問者に対応する転送先を前記登録手段に登録された複数の転送先から選択し、前記報知手段は、前記呼び出し転送手段に、前記選択された転送先に呼び出しを切り替えて、前記特定された訪問者の情報を含む呼び出し情報を転送させることを特徴とした構成を有している。
【００１２】
この構成により、第１のドアホン端末装置から外部インターフェースなどの送受信手段を介して人物認証結果情報を受け取り、この人物認証結果情報に基づいて、予め登録された訪問者毎に異なる転送先に呼び出し情報を転送することができ、ドアホン端末自体を設計し直すことなく、より多くの呼び出し法を容易に設定することができ、識別できる人物の人数を増やすことが可能となる。また、プライバシーの保護およびセキュリティ面の向上を図ることができる。
【００１３】
さらに、上記本発明のドアホンシステムの前記第１のドアホン端末装置において、前記送信手段は、前記撮影手段によって撮影された訪問者の画像を外部に送信し、前記第２のドアホン端末装置において、前記受信手段は、前記第１のドアホン端末装置から送信された画像を受信し、前記登録手段は、前記複数の転送先および前記複数の人物を対応させて予め登録し、前記選択手段は、前記特定された訪問者に対応する転送先を前記登録手段に登録された複数の転送先から選択し、前記報知手段は、前記呼び出し転送手段に、前記選択された転送先に呼び出しを切り替えて、前記特定された訪問者の情報を含む呼び出し情報および前記受信した画像を転送させることを特徴とした構成を有している。
【００１４】
この構成により、第１のドアホン端末装置から外部インターフェースなどの送受信手段を介して人物認証結果情報と画像を受け取り、この人物認証結果情報に基づいて、予め登録された訪問者毎に異なる転送先に呼び出し情報と画像を転送することができるので、ドアホン端末装置から離れた場所でも、訪問者の情報を受け取り、訪問者の確認ができるので、プライバシーの保護およびセキュリティ面の向上を図ることができる。
【００１５】
上記本発明のドアホンシステムにおいて、第２のドアホン端末装置は、コードレス電話装置であっても良い。このように一般的なコードレス電話装置で第２のドアホン端末装置を構成できるので、安価な装置でドアホン端末装置を実現できることとなる。
【００１６】
さらに、本発明のドアホンシステムは、呼び出しスイッチと、前記呼び出しスイッチを訪問者が操作した時、前記訪問者を撮影する撮影手段と、前記撮影手段によって撮影された前記訪問者の画像に基づいて人物認証を行い、人物認証結果情報を出力する人物認証手段と、前記人物認証手段から出力された前記人物認証結果情報を外部に送信する送信手段とを有する第１のドアホン端末装置を備えるとともに、前記第１のドアホン端末装置から送信された人物認証結果情報を受信する受信手段と、前記訪問者の訪問を報知する複数の報知処理を実行可能な報知手段と、前記複数の報知処理および複数の人物を対応させて予め登録する登録手段と、前記受信手段によって受信された前記人物認証結果情報に基づいて、前記訪問者を特定し、前記特定された訪問者に対応する報知処理を前記登録手段に登録された複数の報知処理から選択する選択手段とを有する第２のドアホン端末装置をさらに備え、前記第２のドアホン端末装置は、親機および複数の子機を含むコードレス電話装置であり、前記第２のドアホン端末装置において、前記登録手段は、前記複数の子機および前記複数の人物を対応させて予め登録し、前記選択手段は、前記特定された訪問者に対応する子機を前記登録手段に登録された複数の子機から選択し、前記報知手段は、前記親機に、前記選択された子機を呼び出させることを特徴とした構成を有している。このように一般的なコードレス電話装置で第２のドアホン端末装置を構成できるので、安価な装置でドアホン端末装置を実現できることとなる。また、プライバシーを保護することができる。
【００１７】
さらに、本発明のドアホン端末装置は、呼び出しスイッチと、前記呼び出しスイッチを訪問者が操作した時、前記訪問者を撮影する撮影手段と、前記撮影手段によって撮影された前記訪問者の画像に基づいて人物認証を行い、人物認証結果情報を出力する人物認証手段と、前記人物認証手段から出力された前記人物認証結果情報を外部に送信する送信手段とを備えたことを特徴とした構成を有している。
【００１８】
この構成により、外部インターフェースなどの送信手段を介して人物認証結果情報を外部に出力できるので、ドアホン端末自体を設計し直すことなく、他の外部接続機器側で、この人物認証結果情報に基づく様々な報知処理を行うことができ、より多くの呼び出し法を容易に設定することができ、識別できる人物の人数を増やすことが可能となる。
【００１９】
さらに、本発明のドアホン端末装置は、呼び出しスイッチと、前記呼び出しスイッチを訪問者が操作した時、前記訪問者を撮影する撮影手段と、前記撮影手段によって撮影された前記訪問者の画像に基づいて人物認証を行い、人物認証結果情報を出力する人物認証手段と、前記人物認証手段から出力された前記人物認証結果情報を外部に送信する送信手段とを備え、前記送信手段は、前記撮影手段によって撮影された訪問者の画像を外部に送信することを特徴とした構成を有している。
【００２０】
この構成により、外部インターフェースなどの送信手段を介して人物認証結果情報とともに撮影された画像を外部に出力することができるので、ドアホン端末自体を設計し直すことなく、他の外部接続機器側で、この人物認証結果情報に基づく様々な報知処理を行うことができるとともに、ドアホン端末装置から離れた場所でも、訪問者の確認ができるので、プライバシーの保護およびセキュリティ面の向上を図ることができる。
【００２１】
さらに、本発明のドアホン端末装置は、訪問者の人物認証結果情報を受信する受信手段と、前記訪問者の訪問を報知する複数の報知処理を実行可能な報知手段と、前記複数の報知処理および複数の人物を対応させて予め登録する登録手段と、前記受信手段によって受信された前記人物認証結果情報に基づいて、前記訪問者を特定し、前記特定された訪問者に対応する報知処理を前記登録手段に登録された複数の報知処理から選択する選択手段とを備え、前記報知手段は、前記選択手段によって選択された報知処理を実行することを特徴とした構成を有している。
【００２２】
この構成により、外部から外部インターフェースなどの送受信手段を介して人物認証結果情報を受け取り、この人物認証結果情報に基づいて、予め登録された訪問者毎に異なる報知処理を行うことが可能となる。
【００２３】
上記本発明のドアホン端末装置は、前記報知処理を更新する報知処理更新手段をさらに備えても良い。この構成により、アプリケーションプログラムを、外部記憶装置から読み込んで書換えて更新することが可能であり、ドアホン端末自体を設計し直すことなく、より多くの呼び出し法を容易に設定することができ、識別できる人物の人数を増やすことが可能となる。
【００２４】
さらに、本発明のドアホン端末装置は、訪問者の人物認証結果情報を受信する受信手段と、前記訪問者の訪問を報知する複数の報知処理を実行可能な報知手段と、前記複数の報知処理および複数の人物を対応させて予め登録する登録手段と、前記受信手段によって受信された前記人物認証結果情報に基づいて、前記訪問者を特定し、前記特定された訪問者に対応する報知処理を前記登録手段に登録された複数の報知処理から選択する選択手段と、複数の呼び出し音を出力する音声出力手段とを備えるとともに、前記登録手段は、前記複数の呼び出し音および前記複数の人物を対応させて予め登録し、前記選択手段は、前記特定された訪問者に対応する呼び出し音を前記登録手段に登録された複数の呼び出し音から選択し、前記報知手段は、前記音声出力手段に前記選択された呼び出し音を出力させることを特徴とした構成を有している。
【００２５】
この構成により、外部から受信手段を介して人物認証結果情報を受け取り、この人物認証結果情報に基づいて、予め登録された訪問者毎に異なる呼び出し音を出力することができ、ドアホン端末自体を設計し直すことなく、より多くの呼び出し法を容易に設定することができ、識別できる人物の人数を増やすことが可能となる。
【００２６】
さらに、本発明のドアホン端末装置は、訪問者の人物認証結果情報を受信する受信手段と、前記訪問者の訪問を報知する複数の報知処理を実行可能な報知手段と、前記複数の報知処理および複数の人物を対応させて予め登録する登録手段と、前記受信手段によって受信された前記人物認証結果情報に基づいて、前記訪問者を特定し、前記特定された訪問者に対応する報知処理を前記登録手段に登録された複数の報知処理から選択する選択手段と、複数の転送先に呼び出しを切り替えて転送する呼び出し転送手段とを備えるとともに、前記登録手段は、前記複数の転送先および前記複数の人物を対応させて予め登録し、前記選択手段は、前記特定された訪問者に対応する転送先を前記登録手段に登録された複数の転送先から選択し、前記報知手段は、前記呼び出し転送手段に、前記選択された転送先に呼び出しを切り替えて、前記特定された訪問者の情報を含む呼び出し情報を転送させることを特徴とした構成を有している。
【００２７】
この構成により、外部から受信手段を介して人物認証結果情報を受け取り、この人物認証結果情報に基づいて、予め登録された訪問者毎に異なる転送先に呼び出し情報を転送することができ、ドアホン端末自体を設計し直すことなく、より多くの呼び出し法を容易に設定することができ、識別できる人物の人数を増やすことが可能となる。また、プライバシーの保護およびセキュリティ面の向上を図ることができる。
【００２８】
さらに、本発明のドアホン端末装置は、訪問者の人物認証結果情報を受信する受信手段と、前記訪問者の訪問を報知する複数の報知処理を実行可能な報知手段と、前記複数の報知処理および複数の人物を対応させて予め登録する登録手段と、前記受信手段によって受信された前記人物認証結果情報に基づいて、前記訪問者を特定し、前記特定された訪問者に対応する報知処理を前記登録手段に登録された複数の報知処理から選択する選択手段と、複数の転送先に呼び出しを切り替えて転送する呼び出し転送手段とを備えるとともに、前記登録手段は、前記複数の転送先および前記複数の人物を対応させて予め登録し、前記選択手段は、前記特定された訪問者に対応する転送先を前記登録手段に登録された複数の転送先から選択し、前記受信手段は、画像を受信し、前記報知手段は、前記呼び出し転送手段に、前記選択された転送先に呼び出しを切り替えて、前記特定された訪問者の情報を含む呼び出し情報および前記受信した画像を転送させることを特徴とした構成を有している。
【００２９】
この構成により、外部から受信手段を介して人物認証結果情報と画像を受け取り、この人物認証結果情報に基づいて、予め登録された訪問者毎に異なる転送先に呼び出し情報と画像を転送することができるので、ドアホン端末装置から離れた場所でも、訪問者の情報を受け取り、訪問者の確認ができるので、プライバシーの保護およびセキュリティ面の向上を図ることができる。
【００３０】
上記本発明のドアホンシステムにおいて、第２のドアホン端末装置は、コードレス電話装置であっても良い。このように一般的なコードレス電話装置でドアホン端末装置を構成できるので、安価な装置でドアホン端末装置を実現できることとなる。
【００３１】
さらに、本発明のドアホン端末装置は、訪問者の人物認証結果情報を受信する受信手段と、前記訪問者の訪問を報知する複数の報知処理を実行可能な報知手段と、前記複数の報知処理および複数の人物を対応させて予め登録する登録手段と、前記受信手段によって受信された前記人物認証結果情報に基づいて、前記訪問者を特定し、前記特定された訪問者に対応する報知処理を前記登録手段に登録された複数の報知処理から選択する選択手段とを備えた親機および複数の子機を含むコードレス電話装置であり、前記登録手段は、前記複数の子機および前記複数の人物を対応させて予め登録し、前記選択手段は、前記特定された訪問者に対応する子機を前記登録手段に登録された複数の子機から選択し、前記報知手段は、前記親機に、前記選択された子機を呼び出させることを特徴とした構成を有している。このように一般的なコードレス電話装置でドアホン端末装置を構成できるので、安価な装置でドアホン端末装置を実現できることとなる。また、プライバシーを保護することができる。
【００３２】
【発明の実施の形態】
以下、本発明の実施の形態について、図面を用いて説明する。尚、すべての図面において、同様な構成要素は同じ参照記号および符号を用いて示してある。
【００３３】
（第１の実施の形態）
【００３４】
図１に示すように、本発明の第１の実施の形態のドアホンシステムは、呼び出しスイッチ１０１と、呼び出しスイッチ１０１を訪問者が操作した時、訪問者を撮影するカメラ１０３と、カメラ１０３で撮影された人物画像を処理する画像処理部１０５と、呼び出し音や通話などの音声データを処理する音声処理部１１１と、呼び出し音や会話音声を出力するスピーカ１１３と、会話音声などを集音するマイク１１５と、画像処理部１０５および音声処理部１１１および呼び出しスイッチ１０１に電気的に接続され、これらを制御する制御部１２１とを含む屋外ドアホン端末１００を備えている。
【００３５】
さらに、本発明の第１の実施の形態のドアホンシステムは、屋外ドアホン端末１００の画像処理部１０５で処理された訪問者の人物画像に基づいて、人物認証を行い、人物認証結果情報を出力する人物認証部２０１と、この人物認証部２０１から出力された人物認証結果情報を外部機器に送信する外部インターフェース部２０３（図中、「外部Ｉ／Ｆ部」と示される。）とを含む屋内ドアホン端末２００をさらに備えている。
【００３６】
屋内ドアホン端末２００は、呼び出し音や通話などの音声データを処理する音声処理部２１１と、呼び出し音や会話音声を出力するスピーカ２１３と、会話音声などを集音するマイク２１５と、屋内ドアホン端末２００を使用者に操作させる操作部２１７と、画像を表示する表示パネル２３１と、表示パネル２３１に表示する画像データを処理する画像処理部２３３と、表示パネル２３１に画像を表示させる制御を行う表示制御部２３５と、これらのブロックを制御する制御部２４１とをさらに含む。
【００３７】
また、本発明の第１の実施の形態のドアホンシステムは、屋内ドアホン端末２００の外部インターフェース部２０３を介して出力された人物認証結果情報を受信する認証情報受信部３０１と、認証情報受信部３０１において受信された人物認証結果情報に基づいて、訪問者を特定し、この特定された訪問者毎に異なる報知処理を行うアプリケーションプログラムを含むデータを記憶するプログラムメモリ３０３と、複数の報知処理および複数の人物を対応させて予め登録するメモリ３０５と、このプログラムメモリ３０３に記憶されたアプリケーションプログラムを実行する制御部３０７と、外部からアプリケーションプログラムを入力する外部インターフェース部３０９（図中、「外部Ｉ／Ｆ部」と示される。）とを有する外部接続端末装置３００をさらに備えている。
【００３８】
屋外ドアホン端末１００の画像処理部１０５は、屋外ドアホン端末１００のカメラ１０３および屋外ドアホン端末１００の制御部１２１に電気的に接続され、屋外ドアホン端末１００の制御部１２１の指示に従って、屋外ドアホン端末１００のカメラ１０３で撮影された訪問者の人物画像を処理して屋外ドアホン端末１００の制御部１２１を介して屋内ドアホン端末２００に画像データを出力するものである。屋外ドアホン端末１００のカメラ１０３で撮影される人物画像は、静止画でも動画でも良い。
【００３９】
屋外ドアホン端末１００の音声処理部１１１は、屋外ドアホン端末１００のスピーカ１１３、屋外ドアホン端末１００のマイク１１５および屋外ドアホン端末１００の制御部１２１に電気的に接続され、屋外ドアホン端末１００の制御部１２１の指示に従って、屋外ドアホン端末１００のスピーカ１１３に出力する呼び出し音や通話などの音声データを処理するとともに、屋外ドアホン端末１００のマイク１１５から集音された会話音声などの音声データを処理するものである。
【００４０】
屋外ドアホン端末１００の制御部１２１は、例えば、ＣＰＵ（Ｃｅｎｔｒａｌ　Ｐｒｏｃｅｓｓｉｎｇ　Ｕｎｉｔ）およびＭＰＵ（Ｍｉｃｒｏｐｒｏｃｅｓｓｉｎｇ　Ｕｎｉｔ）などからなり、予めプログラムされた処理手順で動作し、上述したように、各ブロックを制御するものである。
【００４１】
屋内ドアホン端末２００の人物認証部２０１は、屋外ドアホン端末１００の制御部１２１および屋内ドアホン端末２００の制御部２４１に電気的に接続され、屋外ドアホン端末１００の制御部１２１から画像データを入力し、入力された画像データに基づいて、人物認証を行い人物認証結果情報を出力するものである。
【００４２】
屋内ドアホン端末２００の外部インターフェース部２０３は、屋内ドアホン端末２００の人物認証部２０１および屋内ドアホン端末２００の制御部２４１に電気的に接続され、屋内ドアホン端末２００の制御部２４１の指示に従って、屋内ドアホン端末２００の人物認証部２０１から出力された人物認証結果情報を外部接続端末装置３００に送信するものである。屋内ドアホン端末２００の外部インターフェース部２０３は、後述するコードレス電話親機などと接続可能なインターフェースであり、例えば、モジュラージャック、ＵＳＢ（Ｕｎｉｖｅｒｓａｌ　Ｓｅｒｉａｌ　Ｂｕｓ）およびシリアルコネクタである。本実施の形態において、外部インターフェース部２０３は、外部接続端末装置３００と有線通信を行うが、これに限定されるものではなく、無線通信でも良い。
【００４３】
屋内ドアホン端末２００の音声処理部２１１は、屋内ドアホン端末２００のスピーカ２１３、屋内ドアホン端末２００のマイク２１５および屋内ドアホン端末２００の制御部２４１に電気的に接続され、屋内ドアホン端末２００の制御部２４１の指示に従って、屋内ドアホン端末２００のスピーカ２１３に出力する呼び出し音や通話などの音声データを処理するとともに、屋内ドアホン端末２００のマイク２１５から集音された会話音声などの音声データを処理するものである。
【００４４】
屋内ドアホン端末２００の操作部２０７は、屋内ドアホン端末２００の制御部２４１に電気的に接続され、図示されない操作スイッチ、操作ボタンを含む。この屋内ドアホン端末２００の操作部２０７により使用者は屋内ドアホン端末２００を操作する。
【００４５】
屋内ドアホン端末２００の表示パネル２３１は、屋内ドアホン端末２００の表示制御部２３５に電気的に接続され、少なくとも一つの表示画面を有し、屋内ドアホン端末２００の表示制御部２３５によって制御されて、画像が表示画面に表示される。屋内ドアホン端末２００の表示パネル２３１は、例えば、液晶表示パネル、プラズマ表示パネルなどである。屋内ドアホン端末２００の表示パネル２３１は、例えば、屋外ドアホン端末１００のカメラ１０３で撮影された映像などを表示するものである。
【００４６】
屋内ドアホン端末２００の画像処理部２３３は、屋内ドアホン端末２００の制御部２４１に電気的に接続され、屋内ドアホン端末２００の制御部２４１の指示に従って、屋内ドアホン端末２００の表示パネル２３１に表示する画像データを処理するものである。
【００４７】
屋内ドアホン端末２００の表示制御部２３５は、屋内ドアホン端末２００の制御部２４１および屋内ドアホン端末２００の画像処理部２３３に電気的に接続され、屋内ドアホン端末２００の制御部２４１の指示に従って、屋内ドアホン端末２００の表示パネル２３１に表示する画像データを屋内ドアホン端末２００の画像処理部２３３から受け取り、屋内ドアホン端末２００の表示パネル２３１に表示させるものである。
【００４８】
屋内ドアホン端末２００の制御部２４１は、例えば、ＣＰＵ（Ｃｅｎｔｒａｌ　Ｐｒｏｃｅｓｓｉｎｇ　Ｕｎｉｔ）およびＭＰＵ（Ｍｉｃｒｏｐｒｏｃｅｓｓｉｎｇ　Ｕｎｉｔ）などからなり、予めプログラムされた処理手順で動作し、上述したように、各ブロックを制御するものである。
【００４９】
外部接続端末装置３００の認証情報受信部３０１は、屋内ドアホン端末２００の外部インターフェース部２０３および外部接続端末装置３００の制御部３０７に電気的に接続され、屋内ドアホン端末２００の外部インターフェース部２０３から人物認証結果情報を受信し、外部接続端末装置３００の制御部３０７に受け渡すものである。
【００５０】
外部接続端末装置３００のプログラムメモリ３０３は、読取り書換え可能な不揮発性記憶装置であり、外部接続端末装置３００のメモリ３０５、制御部３０７および外部インターフェース部３０９に電気的に接続される。外部接続端末装置３００のプログラムメモリ３０３には、人物認証に基づく報知処理を行うアプリケーションプログラムなどが予めインストールされており、このアプリケーションプログラムは、外部接続端末装置３００の外部インターフェース部３０９を介して入力され、更新される。これにより、ドアホン端末自体を設計し直すことなく、より多くの呼び出し法を容易に設定することができ、識別できる人物の人数を増やすことが可能となる。
【００５１】
外部接続端末装置３００のメモリ３０５は、読取り書換え可能な不揮発性記憶装置であり、外部接続端末装置３００のプログラムメモリ３０３および制御部３０７に電気的に接続される。外部接続端末装置３００のメモリ３０５には、複数の報知処理および複数の人物を対応させて予め登録される。
【００５２】
外部接続端末装置３００の制御部３０７は、例えば、ＣＰＵ（Ｃｅｎｔｒａｌ　Ｐｒｏｃｅｓｓｉｎｇ　Ｕｎｉｔ）およびＭＰＵ（Ｍｉｃｒｏｐｒｏｃｅｓｓｉｎｇ　Ｕｎｉｔ）などからなり、外部接続端末装置３００のプログラムメモリ３０３に記憶されたアプリケーションプログラムの処理手順に従って動作し、スピーカ、表示器およびバイブレータなどの図示されない報知手段を介して報知処理を行うものである。
【００５３】
外部接続端末装置３００の外部インターフェース部３０９は、外部接続端末装置３００のプログラムメモリ３０３および制御部３０７に電気的に接続され、図示されない外部装置と通信可能であり、例えば、ダウンロード用コネクタを有し、外部コンピュータ（図示無し）からインターネットを含むネットワークを介して、アプリケーションプログラムをダウンロードし、外部接続端末装置３００のプログラムメモリ３０３に格納するものである。他の実施の形態において、記録媒体読取装置（図示無し）と接続するコネクタを有し、記憶媒体からアプリケーションプログラムを読み込み、外部接続端末装置３００のプログラムメモリ３０３に格納しても良い。
【００５４】
図２は、本発明の第１の実施の形態のドアホンシステムのシステム全体の構成の具体例を示す図である。図２に示すように、本発明の第１の実施の形態のドアホンシステムは、図１に示したドアホンシステムの外部接続端末装置３００として、一般的なコードレス電話親機３１１と、複数のコードレス電話子機３１３、３１５とを備えている。本実施の形態において、コードレス電話親機３１１と、コードレス電話子機３１３、３１５は、一般的な電話の呼び出し機能を使用して、訪問者を報知する。例えば、液晶表示器などによる画面表示、ランプ表示、スピーカを介して出力される呼び出し音あるいは音声出力、バイブレータによる振動、あるいは他の外部装置への信号出力などにより報知処理を行う。これらの報知処理は、一般的なコードレス電話装置の呼び出し機能であり、詳細な説明は省略する。
【００５５】
図３は、本発明の第１の実施の形態のドアホンシステムの人物認証結果情報に基づく報知処理手順の一例を示すフローチャートである。本実施の形態のドアホンシステムにおいて、外部接続端末装置３００の認証情報受信部３０１、プログラムメモリ３０３、メモリ３０５および制御部３０７は、コードレス電話親機３１１が有するものとするが、これに限定されるものではなく、コードレス電話子機、携帯電話、ＰＤＡなどの携帯情報端末機器、パーソナルコンピュータなどの情報機器、ルータやモデムなどの通信機器などであっても良い。
【００５６】
図３に示すように、本発明の第１の実施の形態のドアホンシステムでは、はじめに、複数の人物に対して、コードレス電話親機３１１、コードレス電話子機３１３、３１５を含む呼び出し装置および、各呼び出し装置の複数の呼び出し音を予め設定して外部接続端末装置３００のメモリ３０５に登録する（ステップＳ１０１）。尚、この登録処理は、次に登録内容の変更が必要となるまでは、バイパスされる。
【００５７】
その後、屋外ドアホン端末１００の呼び出しスイッチ１０１の操作待ち状態に入り（ステップＳ１０２）、屋外ドアホン端末１００の呼び出しスイッチ１０１が操作された時、屋外ドアホン端末１００のカメラ１０３が訪問者を撮影し、撮影された人物画像を屋外ドアホン端末１００の画像処理部１０５が処理して画像データを屋内ドアホン端末２００に送信する。この画像データを屋内ドアホン端末２００の人物認証部２０１が取り込む（ステップＳ１０３）。屋内ドアホン端末２００の人物認証部２０１が、取り込んだ画像データに基づいて、人物認証を行い、人物認証結果情報を出力する（ステップＳ１０４）。この人物認証結果情報を外部接続端末装置３００に屋内ドアホン端末２００の外部インターフェース部２０３を介して送信する（ステップＳ１０５）。
【００５８】
外部接続端末装置３００の認証情報受信部３０１が、屋内ドアホン端末２００から人物認証結果情報を受信する（ステップＳ１０６）。
【００５９】
次いで、外部接続端末装置３００の制御部３０７が、受信した人物認証結果情報に基づいて、訪問者を特定し、特定された訪問者に対応する呼び出し装置および呼び出し音を選択し（ステップＳ１０７）、該当する呼び出し装置に、選択された呼び出し音の情報を含む呼び出し情報を送信する（ステップＳ１０８）。
【００６０】
該当する呼び出し装置が、この呼び出し情報を受信し、訪問者に対応した呼び出し音で、呼び出し鳴動する（ステップＳ１０９）。
【００６１】
以上のように構成された本発明の第１の実施の形態のドアホンシステムの動作について、以下に図３を用いて説明する。
【００６２】
はじめに、複数の人物に対して、コードレス電話親機３１１、コードレス電話子機３１３、３１５を含む呼び出し装置および、各呼び出し装置の複数の呼び出し音を予め設定して、外部接続端末装置３００のメモリ３０５に登録させる（ステップＳ１０１）。その後、屋外ドアホン端末１００の呼び出しスイッチ１０１の操作待ち状態に入る（ステップＳ１０２）。
【００６３】
訪問者が訪れて、屋外ドアホン端末１００の呼び出しスイッチ１０１を操作すると、屋外ドアホン端末１００のカメラ１０３により訪問者が撮影され、撮影された人物画像が屋外ドアホン端末１００の画像処理部１０５により処理され、画像データが屋内ドアホン端末２００に送信される。屋内ドアホン端末２００の人物認証部２０１により、画像データが取り込まれ（ステップＳ１０３）、屋内ドアホン端末２００の人物認証部２０１により、取り込まれた画像データに基づいて、人物認証が行なわれ、人物認証結果情報が出力される（ステップＳ１０４）。
【００６４】
この人物認証結果情報が、外部接続端末装置３００に屋内ドアホン端末２００の外部インターフェース部２０３を介して送信される（ステップＳ１０５）。外部接続端末装置３００の認証情報受信部３０１により、人物認証結果情報が受信され（ステップＳ１０６）。
【００６５】
外部接続端末装置３００の制御部３０７により、受信した人物認証結果情報に基づいて、訪問者が特定され、特定された訪問者に対応する呼び出し装置および呼び出し音が、外部接続端末装置３００のメモリ３０５に登録された複数の呼び出し装置および複数の呼び出し音から選択され（ステップＳ１０７）、該当する呼び出し装置に呼び出し情報が送信される（ステップＳ１０８）。ここでは、コードレス電話子機３１３が呼び出し装置として選択され、複数の呼び出し音の中から一つの呼び出し音Ａが選択されたとする。すなわち、選択されたコードレス電話子機３１３に、呼び出し音Ａが選択されたことを示す呼び出し情報が送信される。
【００６６】
コードレス電話子機３１３により、呼び出し情報が受信され、この呼び出し情報に基づいて、コードレス電話子機３１３が、呼び出し音Ａで呼び出し鳴動する（ステップＳ１０９）。使用者は、コードレス電話子機３１３の呼び出し音Ａの鳴動により、誰が訪問したか、あるいは一般の人物の訪問であるかを判断することができる。呼び出しに応答する場合は、コードレス電話子機３１３の操作ボタンを操作することにより、応答可能である。
【００６７】
この時、コードレス電話子機３１５の呼び出しは行われないので、訪問者が来た時に、特定のコードレス電話子機のみを呼び出すことが可能となり、プライバシーを保護することができるとともに、呼び出し音によって、訪問者が誰であるかを判断することが可能となる。
【００６８】
このように本発明の第１の実施の形態のドアホンシステムは、呼び出しスイッチ１０１と、呼び出しスイッチ１０１を訪問者が操作した時、訪問者を撮影するカメラ１０３とを有する屋外ドアホン端末１００を備えるとともに、カメラ１０３によって撮影された訪問者の画像に基づいて人物認証を行い、人物認証結果情報を出力する人物認証部２０１と、人物認証部２０１から出力された人物認証結果情報を外部に送信する外部インターフェース部２０３とを有する屋内ドアホン端末２００を備え、さらに、屋内ドアホン端末２００から送信された人物認証結果情報を受信する認証情報受信部３０１と、訪問者の訪問を報知する複数の報知処理を実行可能な制御部３０７と、複数の報知処理および複数の人物を対応させて予め登録するメモリ３０５とを有する外部接続端末装置３００を備え、外部接続端末装置３００において、制御部３０７は、認証情報受信部３０１によって受信された人物認証結果情報に基づいて、訪問者を特定し、特定された訪問者に対応する報知処理をメモリ３０５に登録された複数の報知処理から選択し、選択された報知処理を実行するので、コードレス電話装置などの外部接続端末装置３００にて、屋内ドアホン端末２００から外部インターフェース部２０３を介して人物認証結果情報を受け取り、この人物認証結果情報に基づいて、予め登録された訪問者毎に異なる報知処理を行うことが可能となる。
【００６９】
これにより、ドアホン端末自体を設計し直すことなく、より多くの呼び出し法を容易に設定することができ、識別できる人物の人数を増やすことが可能となる。
【００７０】
（第２の実施の形態）
【００７１】
本発明の第２の実施の形態のドアホンシステムは、図１に示された本発明の第１の実施の形態のドアホンシステムとは、複数の転送先に呼び出しを切り替えて転送する呼び出し転送手段を設けた点が相違している。
【００７２】
図４は、本発明の第２の実施の形態のドアホンシステムのシステム全体の構成の具体例を示す図である。図４に示すように、本発明の第２の実施の形態のドアホンシステムは、図１に示したドアホンシステムの外部接続端末装置３００として、一般的なコードレス電話親機３１１と、このコードレス電話親機３１１に電話回線網４０１を介して通信可能な複数の通信機器、例えば、携帯基地局４０３を経由して携帯電話などの携帯端末４０５、４０７や、会社のオフィス電話４０９などを備えている。本実施の形態において、複数の転送先は、会社のオフィス電話４０９および携帯端末４０５、４０７となる。呼び出し転送手段については、一般的なコードレス電話装置に備わっている機能であるので、詳細な説明は省略する。
【００７３】
図５に示すように、本発明の第２の実施の形態のドアホンシステムでは、はじめに、複数の人物に対して、コードレス電話親機３１１、携帯端末４０５、４０７、およびオフィス電話４０９を含む転送先の呼び出し装置および、各呼び出し装置の複数の呼び出し音を予め設定して外部接続端末装置３００のメモリ３０５に登録する（ステップＳ２０１）。尚、この登録処理は、次に登録内容の変更が必要となるまでは、バイパスされる。
【００７４】
その後、屋外ドアホン端末１００の呼び出しスイッチ１０１の操作待ち状態に入り（ステップＳ２０２）、屋外ドアホン端末１００の呼び出しスイッチ１０１が操作された時、屋外ドアホン端末１００のカメラ１０３が訪問者を撮影し、撮影された人物画像を屋外ドアホン端末１００の画像処理部１０５が処理して画像データを屋内ドアホン端末２００に送信する。この画像データを屋内ドアホン端末２００の人物認証部２０１が取り込む（ステップＳ２０３）。屋内ドアホン端末２００の人物認証部２０１が、取り込んだ画像データに基づいて、人物認証を行い、人物認証結果情報を出力する（ステップＳ２０４）。この人物認証結果情報を外部接続端末装置３００に屋内ドアホン端末２００の外部インターフェース部２０３を介して送信する（ステップＳ２０５）。
【００７５】
外部接続端末装置３００の認証情報受信部３０１が、屋内ドアホン端末２００から人物認証結果情報を受信する（ステップＳ２０６）。
【００７６】
次いで、外部接続端末装置３００の制御部３０７が、受信した人物認証結果情報に基づいて、訪問者を特定し、特定された訪問者に対応する転送先の呼び出し装置および呼び出し音を選択し（ステップＳ２０７）、該当する転送先の呼び出し装置に、呼び出しが行われたことを通知する情報と、選択された呼び出し音の情報を含む呼び出し情報を送信する（ステップＳ２０８）。呼び出し情報は、人物認証結果情報を含んでも良い。
【００７７】
該当する呼び出し装置が、この呼び出し情報を受信し、訪問者に対応した呼び出し音で、呼び出し鳴動する（ステップＳ２０９）。
【００７８】
以上のように構成された本発明の第２の実施の形態のドアホンシステムの動作について、以下に図５を用いて説明する。
【００７９】
はじめに、複数の人物に対して、コードレス電話親機３１１、コードレス電話親機３１１、携帯端末４０５、４０７および、オフィス電話４０９を含む転送先の呼び出し装置および、各呼び出し装置の複数の呼び出し音を予め設定して、外部接続端末装置３００のメモリ３０５に登録させる（ステップＳ２０１）。その後、屋外ドアホン端末１００の呼び出しスイッチ１０１の操作待ち状態に入る（ステップＳ２０２）。
【００８０】
留守中などに訪問者が訪れて、屋外ドアホン端末１００の呼び出しスイッチ１０１を操作すると、屋外ドアホン端末１００のカメラ１０３により訪問者が撮影され、撮影された人物画像が屋外ドアホン端末１００の画像処理部１０５により処理され、画像データが屋内ドアホン端末２００に送信される。屋内ドアホン端末２００の人物認証部２０１により、画像データが取り込まれ（ステップＳ２０３）、屋内ドアホン端末２００の人物認証部２０１により、取り込まれた画像データに基づいて、人物認証が行なわれ、人物認証結果情報が出力される（ステップＳ２０４）。
【００８１】
この人物認証結果情報が、外部接続端末装置３００に屋内ドアホン端末２００の外部インターフェース部２０３を介して送信される（ステップＳ２０５）。外部接続端末装置３００の認証情報受信部３０１により、人物認証結果情報が受信され（ステップＳ２０６）。
【００８２】
外部接続端末装置３００の制御部３０７により、受信した人物認証結果情報に基づいて、訪問者が特定され、特定された訪問者に対応する転送先の呼び出し装置および呼び出し音が、外部接続端末装置３００のメモリ３０５に登録された複数の転送先の呼び出し装置および複数の呼び出し音から選択され（ステップＳ２０７）、該当する転送先の呼び出し装置に呼び出し情報が送信される（ステップＳ２０８）。ここでは、オフィス電話４０９が転送先の呼び出し装置として選択されるとともに、複数の呼び出し音の中から一つの呼び出し音Ｂが選択されたとする。すなわち、選択されたオフィス電話４０９に、呼び出し音Ｂが選択されたことを示す呼び出し情報が電話回線網４０１を介して送信される。
【００８３】
オフィス電話４０９により、呼び出し情報が受信され、この呼び出し情報に基づいて、オフィス電話４０９が、呼び出し音Ｂで呼び出し鳴動する（ステップＳ２０９）。
【００８４】
使用者は、オフィス電話４０９の呼び出し音Ｂの鳴動により、留守中でも訪問者が来たことを知ることができ、かつ、誰が訪問したか、あるいは一般の人物の訪問であるかを判断することができる。呼び出しに応答する場合は、オフィス電話４０９の操作ボタンを操作することにより、応答可能である。
【００８５】
この時、他の呼び出し装置の呼び出しは行われないので、訪問者が来た時に、特定の転送先の呼び出し装置のみを呼び出すことが可能となるとともに、呼び出し音によって、訪問者が誰であるかを判断することが可能となる。
【００８６】
さらに、他の実施の形態において、屋内ドアホン端末２００の外部インターフェース部２０３を介して、屋外ドアホン端末１００のカメラ１０３で撮影された人物画像を外部接続端末装置３００であるコードレス電話親機３１１に送信し、コードレス電話親機３１１の認証情報受信部３０１を介してこの人物画像を受信し、選択された転送先の呼び出し装置に、受信した人物画像を転送させても良い。これにより、転送先で、人物画像を見て訪問者がどのような人物なのかを確認することが可能となる。
【００８７】
また、例えば、人物認証結果情報が登録されていない人などが訪問した時のみ、人物画像を送信するようにしても良い。これにより、セキュリティ面の向上を図ることができる。また、転送先が携帯電話などの場合は、必要なときだけ画像データを送信する方が、消費電流の削減を図ることができ、また、通信時間を短縮することもできる。
【００８８】
以上のように、本発明の第２の実施の形態のドアホン端末装置は、呼び出しスイッチ１０１と、呼び出しスイッチ１０１を訪問者が操作した時、訪問者を撮影するカメラ１０３とを有する屋外ドアホン端末１００を備えるとともに、カメラ１０３によって撮影された訪問者の画像に基づいて人物認証を行い、人物認証結果情報を出力する人物認証部２０１と、人物認証部２０１から出力された人物認証結果情報を外部に送信する外部インターフェース部２０３とを有するドアホン端末２００を備え、さらに、屋内ドアホン端末２００から送信された人物認証結果情報を受信する認証情報受信部３０１と、訪問者の訪問を報知する複数の報知処理を実行可能な制御部３０７と、複数の報知処理および複数の人物を対応させて予め登録するメモリ３０５とを有する外部接続端末装置３００を備え、外部接続端末装置３００において、メモリ３０５は、複数の転送先および複数の人物を対応させて予め登録し、制御部３０７は、特定された訪問者に対応する転送先をメモリ３０５に登録された複数の転送先から選択し、呼び出し転送手段に、選択された転送先に呼び出しを切り替えて、特定された訪問者の情報を含む呼び出し情報を転送させるので、コードレス電話装置などの外部接続端末装置３００にて、屋内ドアホン端末２００から外部インターフェース部２０３を介して人物認証結果情報を受け取り、この人物認証結果情報に基づいて、予め登録された訪問者毎に異なる転送先に呼び出し情報を転送することができる。
【００８９】
これにより、ドアホン端末自体を設計し直すことなく、より多くの呼び出し法を容易に設定することができ、識別できる人物の人数を増やすことが可能となる。また、プライバシーの保護およびセキュリティ面の向上を図ることができる。
【００９０】
尚、上記実施の形態では、カメラにより撮影された人物画像により人物認証を行っているが、虹彩カメラにより撮影された虹彩画像や指紋センサにより読み取られた指紋画像などにより人物認証を行っても同様な効果が得られるものである。
【００９１】
【発明の効果】
以上説明したように、本発明によれば、ドアホン端末自体を設計し直すことなく、より多くの呼び出し法を容易に設定することができ、識別できる人物の人数を増やすことができるという優れた効果を有するドアホンシステムを提供することができるものである。
【図面の簡単な説明】
【図１】本発明の第１の実施の形態のドアホンシステムを示す概略ブロック図
【図２】本発明の第１の実施の形態のドアホンシステムのシステム全体の構成の具体例を示すブロック図
【図３】図２に示されたドアホンシステムの人物認証結果情報に基づく報知処理手順の一例を示すフローチャート
【図４】本発明の第２の実施の形態のドアホンシステムのシステム全体の構成の具体例を示すブロック図
【図５】図４に示されたドアホンシステムの人物認証結果情報に基づく報知処理手順の一例を示すフローチャート
【図６】従来のドアホンシステムを示す概略ブロック図
【符号の説明】
１００　屋外ドアホン端末（第１のドアホン端末装置）
１０１　呼び出しスイッチ
１０３　カメラ（撮影手段）
１０５　画像処理部
１１１　音声処理部
１１３　スピーカ
１１５　マイク
１２１　制御部
２００　屋内ドアホン端末（第１のドアホン端末装置）
２０１　人物認証部（人物認証手段）
２０３　外部インターフェース部（送信手段）
２０７　操作部
２１１　音声処理部
２１３　スピーカ
２１５　マイク
２１７　操作部
２３１　表示パネル
２３３　画像処理部
２３５　表示制御部
２４１　制御部
３００　外部接続端末装置（第２のドアホン端末装置）
３０１　認証情報受信部（受信手段）
３０３　プログラムメモリ（報知処理更新手段）
３０５　メモリ（登録手段）
３０７　制御部（報知手段、選択手段、報知処理更新手段）
３０９　外部インターフェース部（報知処理更新手段）
３１１　コードレス電話親機（第２のドアホン端末装置、呼び出し転送手段）
３１３、３１５　コードレス電話子機
４０１　電話回線網
４０３　携帯基地局
４０５、４０７　携帯端末
４０９　オフィス電話
【図１】
2004120309.tif 000003
【図２】
2004120309.tif 000004
【図３】
2004120309.tif 000005
【図４】
2004120309.tif 000006
【図５】
2004120309.tif 000007
【図６】
2004120309.tif 000008